(57)【要約】【課題】１つの電流検知部で、並列接続されたリアクタのどちらか一方が断線した場合に、他方を過電流から保護する。【解決手段】交流電源の一端に接続されたリアクタ２と、リアクタ２に流れる電流を検知するリアクタ電流検知部１０と、前記リアクタ２及びリアクタ電流検出部１０に対して並列接続された第２のリアクタ３と、交流電源を整流するブリッジ整流回路４と、ブリッジ整流回路４の出力端に接続され直流電圧に平滑する平滑コンデンサ５と、インバータ部６と、インバータ部６の制御を行なう制御部８と、圧縮機７から構成され、リアクタ電流検知部１０の出力から、リアクタ２の断線又はリアクタ２への過電流印加を検知することで、リアクタ２及び第２のリアクタ３への過電流の印加を防止することができる。【選択図】図１
2005348476.tif 000002
【特許請求の範囲】
【請求項１】
交流電源と、この交流電源のどちらか一方のラインに接続されたリアクタと、このリアクタに流れる電流を検出するリアクタ電流検知部と、前記リアクタ及びリアクタ電流検知部に対して並列接続された第２のリアクタと、これらのリアクタの後ろに設けられ前記交流電源を整流するブリッジ整流回路と、このブリッジ整流回路の直流出力端に接続された平滑コンデンサと、この平滑コンデンサで平滑された直流電圧を圧縮機駆動電源に変換するインバータ部と、このインバータ部の出力によって駆動される圧縮機と、前記インバータ部の制御を行う制御部を備え、前記制御部は前記リアクタ電流検知部の出力から前記リアクタの断線もしくは前記並列接続された第２のリアクタへの過電流を検出し、前記インバータ部を制御して前記リアクタおよび前記並列接続された第２のリアクタに過電流が流れるのを防止することを特徴とした空気調和機。
【発明の詳細な説明】
【技術分野】
【０００１】
本発明は、空気調和機の室外機における電源回路のリアクタの故障時の保護に関するものである。
【背景技術】
【０００２】
図２は、従来の空気調和機の室外機の電気回路を示すものである。図２に示すように、交流電源１と、交流電流を検知する交流電流検知部９と、交流電源の一方のラインに接続されたリアクタ２と、交流電源を整流するブリッジ整流回路４と、ブリッジ整流回路４の出力端に接続され直流電圧に平滑する平滑コンデンサ５と、平滑コンデンサで平滑された直流電圧を圧縮機駆動電源に変換するインバータ部６と、インバータ部６の制御を行なう制御部８と、インバータ部の出力によって駆動される圧縮機７から構成されている。
【０００３】
前記交流電流検知部９では、圧縮機７の運転中に交流電流の検知を行い、例えば過電流の場合には制御部８からインバータ部６へ制御信号を出力し圧縮機７の駆動速度を制限して交流電流を下げることで過電流を防止している（例えば、特許文献１参照）。
【特許文献１】特開２００１−２０４１７３号公報
【発明の開示】
【発明が解決しようとする課題】
【０００４】
前記リアクタは力率改善及び高調波抑制の為に設けられているが、圧縮機の負荷が大きく負荷電流が大きく不可電流が大きい場合には、大型で高価となってしまう。
【０００５】
また、図３に示すように同じインダクタンスである複数のリアクタ２と３を並列接続して、一つ当りに流れる電流を減らすことにより、小型で安価なリアクタを使用する方法が考えられる
しかしながら、この構成では並列接続されているリアクタのどちらか一方のリアクタが断線した場合、もう一方のリアクタのみに電流が集中し通常時の２倍の過電流が流れることになるが、交流電流検知部では通常時の電流が流れていると判断してしまう為、過電流から保護できず絶縁破壊や断線を引き起こす可能性があるという課題があった。また、各々のリアクタにリアクタ電流検知部を設けると、コストアップになってしまう。
【０００６】
本発明は、前記従来の課題を解決するもので、電流容量を増やすために小型で安価なリアクタを並列接続して使用し、電流検知部を増やすことなく、リアクタのどちらか一方が断線した場合でも他方のリアクタに過電流が流れることを確実に防止できる空気調和機を提供することを目的とする。
【課題を解決するための手段】
【０００７】
前記従来の課題を解決するために、本発明の空気調和機は、並列接続された２つのリアクタのどちらか一方に流れる電流を検知するリアクタ電流検知部を設けたものである。
【０００８】
これによって、リアクタ電流検知部の出力を検出することで、リアクタ電流検出部で過電流を検出した場合には圧縮機を停止してリアクタに過電流が流れるのを防止するとともに、電流が流れていない場合にはリアクタの断線を検知して圧縮機を停止することでもう一方のリアクタに過電流が流れるのを防止することができる。
【発明の効果】
【０００９】
本発明の空気調和機は、１つのリアクタ電流検知部のみで、並列接続されたリアクタの
どちらか一方が断線している場合でも、他方のリアクタへの過電流が流れることを確実に防止することができる。
【発明を実施するための最良の形態】
【００１０】
第１の発明は並列接続されたリアクタのどちらか一方に流れる電流を検知するリアクタ電流検知部を設けることにより、リアクタ電流検知部の電流からリアクタの断線を検知して、リアクタへの過電流の印加を防止することができる。
【００１１】
以下に、本発明の実施の形態について図面を参照しながら説明する。従来の技術と同様の構成については同じ番号を付与し、詳細な説明を割愛する。なお、この実施の形態によって本発明が限定されるものではない。
【００１２】
（実施の形態１）
図１は、本発明の実施の形態１における空気調和機の室外機の電気回路図を示すものである。
【００１３】
図１において、リアクタ電流検知部１０はリアクタ２に流れる電流を検知するために設けられている。以上のように構成された空気調和機の室外機の電気回路について、以下その動作、作用を説明する。
【００１４】
まず、リアクタ２と並列接続された第２のリアクタ３のインダクタンスが同じである場合、交流電源１の出力電流は、リアクタ電流検知部１０に流れる電流の約２倍となるため、リアクタ電流検知部１０の出力から交流電源の出力電流を推定することができる。
【００１５】
すなわち、リアクタ電流検知部１０の電流から従来の図２および図３の交流電流検知部９の電流を推定できるため、リアクタ電流検出部１０を設けることで交流電流検知部９の代用が可能である。
【００１６】
また、リアクタ電流検知部１０を設けたことにより、リアクタ２が断線している場合には、リアクタ電流検知部１０に電流は流れず出力はゼロになり、一方第２のリアクタ３が断線している場合には、リアクタ２に通常時の２倍の電流が流れるのを検知して圧縮機７を停止させることで過電流の印加を防止することができる。
【００１７】
本実施の形態ではリアクタ電流検知部はリアクタ２に設けているが、第２のリアクタ３側に設けてももちろん同じ効果を得ることができる。
【００１８】
以上のように、本実施の形態においては並列接続されたリアクタのどちらか一方に流れる電流を検知するリアクタ電流検知部を設けることにより、どちらかのリアクタが断線している場合でも他方のリアクタへの過電流の印加も防止することができる。
【産業上の利用可能性】
【００１９】
以上のように、本発明にかかる空気調和機は、リアクタを並列接続で使用している場合でも、１つのリアクタ電流検知部で確実に過電流保護が可能となるので、同一回路構成のモータ駆動装置を持つ機器にも適用できる。
【図面の簡単な説明】
【００２０】
【図１】本発明の実施の形態１における空気調和機の室外機の電気回路図
【図２】従来の空気調和機の室外機の電気回路図
【図３】従来の空気調和機の室外機の電気回路図
【符号の説明】
【００２１】
１  交流電源
２  リアクタ
３  第２のリアクタ
４  ブリッジ整流回路
５  平滑コンデンサ
６  インバータ部
７  圧縮機
８  制御部
１０  リアクタ電流検知部
【図１】
2005348476.tif 000003
【図２】
2005348476.tif 000004
【図３】
2005348476.tif 000005